(57)【要約】【課題】  メニューアイコン画面さえ開けば、携帯端末の小さな表示画面に複数のアイコンと各々のアイコンの最低限のステータス情報を同時に表示できると共に、更に、所望のアイコンにカーソルを合わせるだけで当該アイコンの詳細なステータス情報を表示することができる携帯端末を提供する。【解決手段】  携帯端末の表示部９のメニューアイコン画面として、アイコン９０１〜アイコン９１２を設け、各々のアイコンにタイトルと最小ステータス情報を表示する。そして、カーソルで設定されたアイコン９０５については、他のアイコンの表示情報が略読み取れる範囲で、他のアイコンに重なるように拡大される。そして、アイコン９０５に、タイトルと詳細ステータス情報を表示する。【選択図】  図６
2006113637.tif 000002
【特許請求の範囲】
【請求項１】
複数のメニューに対するメニューアイコンの表示を行う携帯端末の表示制御方法であって、
前記複数メニューのうち、キー入力部によって指定された第１のメニューの内容を表した第１の画像情報と、第１のメニューに対応する詳細ステータス情報とを含む第１のメニューアイコンを表示し、
前記複数メニューのうち、前期第１のメニューとは異なる第２のメニューの内容を表した第２の画像情報と、第２のメニューに対応する最小ステータス情報とを含む第２のメニューアイコンを表示する
ことを特徴とする携帯端末の表示制御方法。
【請求項２】
前記第１のメニューに対応する第１のメニューアイコンの表示は、前記第２のメニューに対応する第２のメニューアイコンの表示内容が略読める範囲で、拡大表示することを特徴とする請求項１に記載の携帯端末の表示制御方法。
【請求項３】
前記メニューに制限設定またはシークレット設定がされているかを判断し、
当該設定がされているメニューについては、前記表示する第１のメニューアイコンまたは第２のメニューアイコンに代えて、第１のメニューまたは第２のメニューアイコンより情報量の少ないメニューアイコンを表示することを特徴とする請求項１または請求項２に記載の携帯端末の表示制御方法。
【請求項４】
前記第１のメニューアイコンと前記第２のメニューアイコンとの表示中において、
前記メニューの前記最小ステータス情報または前記詳細ステータス情報の値を確認し、
前記第１のメニューアイコンまたは前記第２のメニューアイコンの表示を更新することを特徴とする請求項１乃至請求項３のいずれか１項に記載の携帯端末の表示制御方法。
【請求項５】
複数のメニュー各々の最小ステータス情報、詳細ステータス情報、及び複数のメニューに対応してそれぞれのメニューの内容を表した図形情報を記憶する記憶部と、前記複数のメニューに対応する複数のメニューアイコンの１つを指定するキー入力部と、
前記キー入力部によって指定された第１のメニューアイコンに対応する第１メニュー対しては、第１のメニュー内容を表した画像情報と対応する詳細ステータス情報とを前記記憶部より読み出して、それらを含む情報を第１のメニューアイコンとして表示制御し、
前記第１のメニューとは異なる第２のメニューに対しては、第２のメニュー内容を表した第２の画像情報と対応する最小ステータス情報とを前記記憶部より読み出して、それらを含む情報を第２のメニューアイコンとして表示制御する制御部と、
前記制御部によって表示制御された前記第１のメニューアイコンおよび第２のメニューアイコンを表示する表示部とを
具備することを特徴とする携帯端末。
【請求項６】
前記制御部は、第１のメニューアイコンを前記第２のメニューアイコンの表示内容が略読める範囲で拡大表示するように表示制御することを特徴とする請求項５に記載の携帯端末。
【請求項７】
前記制御部は、更に表示するメニューに制限設定またはシークレット設定がされているか否かを判断し、当該設定がされているメニューアイコンについては前記表示する第１のメニューアイコンまたは第２のメニューアイコンに代えて、第１のメニューまたは第２のメニューアイコンより情報量の少ないメニューアイコンを表示するように表示制御し、
前記表示部は、該第１のメニューまたは第２のメニューアイコンより情報量の少ないメニューアイコンを表示することを特徴とする請求項５または請求項６に記載の携帯端末。
【請求項８】
前記制御部は、前記第１のメニューアイコンと前記第２のメニューアイコンとの表示制御中において、
前記メニューの前記最小ステータス情報または前記詳細ステータス情報の値を前記記憶部より読み出し、
前記第１のメニューアイコンまたは前記第２のメニューアイコンの表示を前記読み出した結果に基づき更新するように制御し、
前記表示部は、該制御された第１のメニューアイコンまたは第２のメニューアイコンを表示することを特徴とする請求項５乃至請求項７のいずれか１項に記載の携帯端末。
【発明の詳細な説明】
【技術分野】
【０００１】
本発明は、各種メニューをアイコン表示する携帯端末にあって、特に、各種メニューのステータス情報を表示する携帯端末の表示制御方法および携帯端末に関する。
【背景技術】
【０００２】
（従来例１）
各種メニューをアイコン表示する携帯電話機がある。この携帯電話機にあっては、所望のメニューアイコンをカーソルで指定すると、当該メニューアイコンの機能説明が表示される。そして、当該メニューアイコンを起動して、更に所定のキー操作を行うと、当該メニューアイコンに関連のステータス情報が表示される。例えば、メニューアイコンが受信メールボックスであれば、受信メールの未読件数などのステータス情報が表示される。また、例えば、メニューアイコンがスケジュール表であれば、入力済みの予定などのステータス情報が表示される。
【０００３】
（従来例２）
コンピュータ上で取り扱われる資源オブジェクトファイルに対するユーザのアクセス状況を、コンピュータのデスクトップ画面上で視認容易にしたアクセス履歴提示装置がある（例えば、特許文献１参照。）。この特許文献１のアクセス履歴提示装置は、一覧表示された複数のファイルアイコンの各々に、ユーザのアクセス状況（ステータス）を示すアクセス履歴アイコンが併置される。これにより、コンピュータのユーザは、ファイルアイコンをデスクトップ画面上で視認するだけでなく、全ファイルに対する参照履歴や変更履歴やその時間的な変動パターンを、一見して直感的に把握することができる。
【０００４】
（従来例３）
待ち受け時に壁紙表示を行う携帯電話機がある。この携帯電話機にあっては、各種壁紙をユーザが選択して表示できるようになっている。
【特許文献１】特開２００１−５１７６２号公報（第９〜１０頁、図３〜図５）
【発明の開示】
【発明が解決しようとする課題】
【０００５】
従来例１の携帯電話機にあっては、ユーザは、意識して所望のメニューアイコンを起動して何段階かのキー操作を行わないと、各種メニューのステータス情報を知ることができない。そのため、ユーザは、メニューアイコン表示している状態では、ステータス情報を知ることができないため、意識して何段階かのキー操作を行わないとステータス情報を見逃し、ステータス情報に対応する行動が遅れたり、忘れたりするという問題があった。
【０００６】
従来例２の特許文献１に開示されたアクセス履歴提示装置にあっては、アクセス状況（ステータス）を示すアクセス履歴アイコンは、変更履歴マークおよび参照履歴マークを有し、更にそれらは時系列の履歴を表示するため、大きな表示エリアを必要とする。従って、複数のファイルアイコン各々分のアクセス履歴アイコンを同時に表示しようとすると、表示画面の大きさからファイルアイコンの個数が限定されてしまう。  
特に、携帯電話機のように表示画面が小さい装置において、複数のアイコンと各々のステータス情報を同時に表示することはできず、表示できるアイコンの数が限られてしまうという問題があった。
【０００７】
本発明は、上記の問題点を解決するためになされたもので、メニュー画面さえ開けば、携帯端末の小さな表示画面に複数のアイコンと各々のアイコンの最低限のステータス情報を同時に表示できると共に、更に、所望のアイコンにカーソルを合わせるだけで当該アイコンの詳細なステータス情報を表示することができる携帯端末を提供することを目的とする。  
また、従来例３の携帯電話機にあっては、待ち受け時に各種壁紙の表示をおこなっているが、更なる壁紙表示の工夫が求められる。
【課題を解決するための手段】
【０００８】
上記目的を達成するために、本発明の携帯端末の表示制御方法は、複数のメニューに対するメニューアイコンの表示を行う携帯端末の表示制御方法であって、前記複数メニューのうち、キー入力部によって指定された第１のメニューの内容を表した第１の画像情報と、第１のメニューに対応する詳細ステータス情報とを含む第１のメニューアイコンを表示し、前記複数メニューのうち、前期第１のメニューとは異なる第２のメニューの内容を表した第２の画像情報と、第２のメニューに対応する最小ステータス情報とを含む第２のメニューアイコンを表示することを特徴とする。
【０００９】
また、本発明の携帯端末は、複数のメニュー各々の最小ステータス情報、詳細ステータス情報、及び複数のメニューに対応してそれぞれのメニューの内容を表した図形情報を記憶する記憶部と、前記複数のメニューに対応する複数のメニューアイコンの１つを指定するキー入力部と、前記キー入力部によって指定された第１のメニューアイコンに対応する第１メニュー対しては、第１のメニュー内容を表した画像情報と対応する詳細ステータス情報とを前記記憶部より読み出して、それらを含む情報を第１のメニューアイコンとして表示制御し、前記第１のメニューとは異なる第２のメニューに対しては、第２のメニュー内容を表した第２の画像情報と対応する最小ステータス情報とを前記記憶部より読み出して、それらを含む情報を第２のメニューアイコンとして表示制御する制御部と、前記制御部によって表示制御された前記第１のメニューアイコンおよび第２のメニューアイコンを表示する表示部とを具備することを特徴とする。
【発明の効果】
【００１０】
本発明によれば、メニュー画面さえ開けば、携帯端末の小さな表示画面に複数のアイコンと各々のアイコンの最低限のステータス情報を同時に表示できると共に、更に、所望のアイコンにカーソルを合わせれば、当該アイコンの詳細なステータス情報を表示することができる。従って、ユーザは、メニュー画面を開いただけで全てのメニューの最低限のステータス情報を知ることができて注意を喚起させられるため、行動の遅れや忘れを防止することができ、ユーザの安心感を増やすことができる。  
そして、ユーザは、気が付いた所望のアイコンにカーソルを合わせるだけで、更に詳しいステータス情報を知ることが可能となる。
【００１１】
また、ユーザは、待ち受け時に表示される壁紙を見て、見易さや楽しさなどを得ることができる。
【発明を実施するための最良の形態】
【００１２】
以下、本発明の実施例を、図面を参照して説明する。  
【実施例１】
【００１３】
図１〜図７は、本発明を携帯端末に適用した実施例１を示す。  
図１は、各実施例に係る携帯端末のブロック図である。携帯端末の主要部は、アンテナ１、通信部２、電池部３、時計部４、マイク５、キー入力部６、制御部７、スピーカ８、表示部９、アイコン記憶部１０、ステータス記憶部１１、壁紙記憶部１２、文字テーブル１３などにより構成される。  
アンテナ１は、移動通信システムの基地局（図示せず）との間で電波の送信受信を行う。通信部２は、通信データの変調復調処理などを行い、また、電波の受信レベル測定を行い、制御部７へ通知する。電池部３は電源供給源である。時計部４は、時刻のカウントを行う。マイク５は、ユーザインターフェースの音声入力手段である。キー入力部６は、ユーザインターフェースのキー入力手段である。制御部７は、携帯端末全体の主制御を行い、各種メニューの実行制御を行う。スピーカ８は、ユーザインターフェースの音声出力手段である。表示部９は、ユーザインターフェースのＬＣＤなどの表示手段である。
【００１４】
アイコン記憶部１０は、表示部８に表示される携帯端末の各種メニューのアイコン画像の記憶手段である。ステータス記憶部１１は、これらの各種メニューに関連したステータス情報の記憶手段であり、図２の説明で後述する。壁紙記憶部１２は、携帯端末が待ち受けモードの時などに表示部８に表示される壁紙画像の記憶手段であり、静止画と動画を記憶する。文字テーブル１３は、携帯端末が待ち受けモードの時などに表示部８に表示される文字情報の記憶手段である。
【００１５】
図２は、携帯端末のステータス記憶部１１のステータス情報を説明する図である。携帯端末の各種メニューの例として、１４種類のメニューを示す。ステータス記憶部１１には、メニューアイコン情報記憶部１１ａ、最小ステータス情報記憶部１１ｂ、詳細ステータス情報記憶部１１ｃが設けられている。ステータス記憶部１１の１１ａの欄は、携帯端末の各種メニューを表すメニューアイコン名が記憶される。１１ｂの欄は、各メニューアイコンに関連したステータス情報の内、最小のステータス情報が制御部７によりリアルタイムに書き込まれる。１１ｃの欄は、各メニューアイコンに関連したステータス情報の内、詳細ステータス情報が制御部７によりリアルタイムに書き込まれる。
【００１６】
ここで、最小のステータス情報の具体例としては、Ｅメールの場合の未読件数及びそれに該当するアイコン記憶部１０に記憶されたアイコンのアドレスがこれにあたる。また、詳細ステータス情報は、最小ステータス情報と同等、または最小ステータス情報より詳しい情報について、表示するための情報が記憶される。なお、最小ステータス情報にユーザが最も優先すべき情報を記載し、詳細ステータス情報にそれ以外の情報を記載しても良い。
【００１７】
Ｎｏ．１のＥメール受信ボックスについて説明する。最小ステータス情報１１ｂには受信したＥメールの内の未読件数、詳細ステータス情報１１ｃには、最新の未読の受信Ｅメールの送信者名、件名、受信日時が書き込まれる。以下、同様に、Ｎｏ．２のＥメール送信ボックスについては、１１ｂに未送信件数、１１ｃに最新の未送信の宛先名、件名、日時が書き込まれる。Ｎｏ．３のＣメール（ショートメール）受信ボックスについては、１１ｂに未読件数、１１ｃに最新の未読の送信者名、件名、受信日時が書き込まれる。Ｎｏ．４のＣメール送信ボックスについては、１１ｂに未送信件数、１１ｃに最新の未送信の宛先名、件名、日時が書き込まれる。Ｎｏ．５の簡易留守メモについては、１１ｂに録音件数、１１ｃに録音日時が書き込まれる。
【００１８】
Ｎｏ．６の通常着信音は電話着信時の着信音に関してユーザ設定されている内容であり、１１ｂに音量、１１ｃには設定されている曲名が書き込まれる。Ｎｏ．７のＥメール受信音はＥメール受信時の受信音に関してユーザ設定されている内容であり、１１ｂに音量、１１ｃには設定されている曲名が書き込まれる。Ｎｏ．８のお知らせ受信音はＥメールをサーバに受信した際にユーザに知らせる時、及び留守番電話の登録がサーバにあった場合にユーザに知らせる時の、鳴動音及びバイブレータの振動の有無をユーザ設定されている内容であり、１１ｂに音量、１１ｃには設定されている曲名が書き込まれる。Ｎｏ．９のＣメール受信音はＣメール受信時の受信音に関してユーザ設定されている内容であり、１１ｂに音量、１１ｃには設定されている曲名が書き込まれる。
【００１９】
Ｎｏ．１０の待受画面は待受画面に関してユーザ設定されている内容であり、１１ｂにサムネイル画像、１１ｃにサムネイル画像名が書き込まれる。なお、１１ｂのサムネイル画像の画情報はステータス記憶部１１に記憶する必要はなくて、壁紙記憶部１２に記憶されており、それと対応が取れるようになっていればよい。Ｎｏ．１１のカレンダーはユーザ設定されているスケジュールであり、１１ｂに予定設定されている月日、１１ｃにその予定のタイトルが書き込まれている。なお、１１ｂは、予定設定されている月日ではなくて、本日の月日と共に、本日の予定設定の有無を「１」「０」などで表示したり、本日の月日、予定設定されている月日、又はアイコンの色を平日が黒色、土曜日が青色、日曜日・祝日が赤色にしたりする制御情報を書き込むようにしてもよい。それにより、ユーザは、とりあえず、本日の予定の有無を知ることができる。
【００２０】
Ｎｏ．１２のデータフォルダについては、１１ｂに使用率、１１ｃにはデータフォルダに記憶されている一番よく使用される頻度の高いファイル名などが書き込まれる。Ｎｏ．１３のアラームはユーザ設定されているアラーム内容であり、１１ｂに複数設定されているアラームの内、最も早く発生するアラーム時刻、１１ｃにはそのアラームのタイトルが書き込まれる。Ｎｏ．１４のプロフィールは、携帯端末のユーザに関する情報であり、１１ｂに自局電話番号、１１ｃに自局電話番号、自局メールアドレス、自宅加入者電話番号などが書き込まれる。
【００２１】
なお、１１ｂ、１１ｃのステータス情報は、直接ステータス記憶部１１に記憶しないで、各メニュー関連の記憶部（図示せず）のどの箇所に記憶されているかがわかるように対応付けておいてもよい。
【００２２】
図３は、携帯端末の正面図である。折り畳み式の上筐体２１に表示部９を有し、他方の下筐体２２にキー入力部６を有する。キー入力部６は「１」〜「０」の数字や「＊」・「＃」を入力する数字・文字キー６３、クリアキー６４、終話キー６５、通話キー６６等の多数のキーを有し、数字・文字キー６３には、それぞれかな文字及び英字も割り振られている。例えば「２」のキーには数字の２と、ＡＢＣ及びあいうえおの文字とが割り振られる。また、カーソルキー６１は、上下左右の４箇所の矢印部にキーがあり、表示箇所を上下左右方向に移動させるためのカーソルとして使用される。確定キー６２は、カーソルキー６１のセンター部分にあって、動作を確定させるためなどに使用される。なお、確定キー６２は、カーソルキー６１の外側に配置されてもよい。
【００２３】
図４は、表示画面を制御する制御部の動作フローチャートである。  
図５は、携帯端末の待ち受け画面（時計分割表示）を説明する図である。  
（待ち受け画面の表示制御）
図４、図５を用いて、待ち受け画面について制御部７の動作を説明する。携帯端末の電源がオンになると、制御部７は、電源オン状態に入る（ステップＳ１）。そして、すぐに待ち受け表示状態に入る（ステップＳ２）。待ち受け表示状態では、待ち受け画面表示（図５）を行う（ステップＳ３）。図５は、ユーザが予め、待ち受け画面としてアナログ時計表示を選択した時に、表示部９に表示される時計画像を示す。  
まず、秒針９４の動きと時計画像の関係について説明する。制御部７は、時計部４の時刻を読み取って、壁紙記憶部１２により時刻に該当する文字盤画像を発生する。この時、制御部７は、秒針９４が略００秒〜１５秒の間は、図５（ａ）に示すように、文字盤の第１象限にあたる右上部分だけの時計画像を発生して表示する。また、秒針９４が略１５秒〜３０秒の間は、図５（ｂ）に示すように、文字盤の第２象限にあたる右下部分だけの時計画像を発生して表示する。また、秒針９４が略３０秒〜４５秒の間は、図５（ｃ）に示すように、文字盤の第３象限にあたる左下部分だけの時計画像を発生して表示する。また、秒針９４が略４５秒〜６０秒の間は、図５（ｄ）に示すように、文字盤の第４象限にあたる左上部分だけの時計画像を発生して表示する。そして、この切り替わりは、いきなり切り替わるように設定してもよいし、各象限の切り替わりタイミングの前後数秒から徐々にスクロールしながら切り替わるように設定してもよい。
【００２４】
このように、秒針９４を追いかけるように時計全体がスクロールして分割表示されるので、表示部９が小さい画面の表示器であってもアナログ時計を拡大して見やすく表示することができる。また、表示部９が大きい画面の表示器の場合は、表示のおもしろさをユーザは楽しむことができる。
【００２５】
次に、時間帯文字９５について説明する。時間帯文字９５は文字テーブル１３に予め記憶され、「ＭＯＲＮＩＮＮＧ」、「ＡＦＴＥＲＮＯＯＮ」、「ＥＶＥＮＩＮＧ」、「ＮＩＧＨＴ」の４種類がある。そして、制御部７は、時計部４の時刻を読み取って、時間帯が５：００〜１２：００であれば、「ＭＯＲＮＩＮＮＧ」を文字盤中心の下に表示する。また、時間帯が１２：００〜１８：００であれば、「ＡＦＴＥＲＮＯＯＮ」を表示する。また、時間帯が１８：００〜２２：００であれば、「ＥＶＥＮＩＮＧ」を表示する。また、時間帯が２２：００〜５：００であれば、「ＮＩＧＨＴ」を表示する。  
このように、１日に４回、時間帯によって変化するため、従来の午前（ＡＭ）、午後（ＰＭ）表示とは異なった時間帯感覚をユーザはつかむことができる。
【００２６】
図６は、携帯端末のメニューアイコン画面を説明する図である。  
（メニューアイコン画面の表示制御）
図４、図６を用いて、メニューアイコン画面について制御部７の動作を説明する。待ち受け画面表示（ステップＳ３）中に、確定キー６２が押下されると（ステップＳ４で「有り」）、制御部７は、メニューアイコン表示状態に入る（ステップＳ５）。  
このメニューアイコン表示状態で表示されるメニューアイコン画面を、図６により説明する。表示部９の上部には、簡単なピクト表示があり、電波の受信レベルを表す電界表示９１、電池残量を表す電池残量９２、現在時刻を表す現在時刻９３が表示される。  
携帯端末の各種メニューはアイコン９０１〜９１２として１２個分が同時表示される。１４個のメニュー（図２）のどれをアイコン９０１〜９１２のどの配置に割り当てるかはショートカット機能により自在にユーザ設定することができて、図６のように配置されているものとする。ショートカット機能については説明を省略する。また、カーソルによりアイコン９０５が選択されて、拡大表示されているものとする。
【００２７】
制御部７は、メニューアイコン表示状態に入る（ステップＳ５）と、各メニューの最新ステータス情報を確認して、ステータス記憶部１１を書き換える（ステップＳ６）。次に、カーソルで選択されていない非選択アイコンを認識して、非選択アイコン９０１〜９０４、９０６〜９１２については、ステータス記憶部１１（図２）の該当するメニューアイコン名の１１ｂ欄の最小ステータス情報を読み出して、最小表示する（ステップＳ７）。例えば、アイコン９０１（Ｅメール受信ボックス）については、最小ステータス情報の未読件数である例えば「５件」がステータス表示部に表示される。
【００２８】
次に、カーソルで選択されている選択アイコンを認識して、選択アイコン９０５（カレンダー）については、ステータス記憶部１１（図２）のＮｏ．１１（カレンダー）の１１ｃ欄の詳細ステータス情報である「予定設定されている日時、予定タイトル」例えば「９／１、１０：００、販売会議」を読み出し、選択アイコン９０５（カレンダー）を拡大表示し、当該「９／１、１０：００、販売会議」を表示する（ステップＳ８）。この「９／１」表示は、カレンダーの土曜日、日曜日、祭日などの色分け表示と同じ色で表示する。なお、選択アイコン９０５の拡大表示は、他の非選択アイコンの表示情報が略読み取れる範囲で、非選択アイコンに重なるように拡大される。
【００２９】
制御部７は、このステップＳ７、Ｓ８のメニューアイコン表示を行いながら、キー押下の有無をチェックする（ステップＳ９）。ステップＳ９で「無し」であれば、ステップＳ５へ戻り、最新のステータス情報が更新表示される（ステップＳ６、Ｓ７、Ｓ８）。なお、ステップＳ９で「無し」の場合、ステップＳ５へ戻らずに、ステップＳ９自身へ戻るようにしてもよい。その場合、ステップＳ７、Ｓ８の表示制御を繰り返さないため、消費電流を減らすことができる。この場合、最新のステータス情報への更新（ステップＳ６）は、他のルートからステップＳ５へ入ってきた場合に限られる。また、ステップＳ９で「無し」の場合、ステップＳ５に戻るか、ステップＳ９に戻るかはメニューアイコンごとに設定変更してもよい。  
ステップＳ９でカーソルキー６１が押下された場合は、その方向指示に基づいて、選択アイコンを移動し（ステップＳ１０）、ステップＳ５へ戻り、新たな選択アイコンが拡大されて、詳細ステータス情報が表示される（ステップＳ６、Ｓ７、Ｓ８）。また、ステップＳ９で数字文字キー６３の１２個のいずれかが押下された場合は、その配置場所と対応するメニューアイコン画面のアイコン１２個のいずれかのアイコンを選択する。例えば、数字文字キー６３の「１」がアイコン９０１に対応し、数字文字キー６３の「＃」がアイコン９１２に対応するように選択アイコンを決定する（ステップＳ１０）。つまり、カーソル移動と同じ目的で使用される。
【００３０】
また、ステップＳ９でクリアキー６４又は終話キー６５が押下されると、メニューアイコン表示を終了して、待ち受け表示に戻る（ステップＳ２）。また、ステップＳ９で確定キー６２が押下されると、メニューアイコン表示を終了して、選択アイコンのメニュー起動に入る（ステップＳ１１）。
【００３１】
図７は、携帯端末のメニューアイコンの１つについて詳細画面の一例を説明する図である。図７（ａ）は、非選択アイコンの場合の最小表示を示す。アイコン９０１は、封書をイメージするアイコン画像である。タイトルとして、Ｅメールを意味する「Ｅ」が表示される。最小ステータスとして、未読件数５件を表す「５」が表示される。  
図７（ｂ）は、選択アイコンの場合の詳細表示を示す。全体の表示が大きくなると共に、新たに詳細ステータスとして、最新の受信Ｅメールの送信者名、件名、日時である「Ａさん、依頼、１０／１」が表示される。
【００３２】
また、同様に、アイコン９０４、９０６、９０７、９０８の音量についての表示は、「音量３」などの文字表示であっても良いし、音量を表す簡単な画像アイコン表示であってもよい。また、アイコン９０９の待受画面の表示（ハッチング部分）は、情報量の少ないサムネイル画像であってもよい。また、アイコン９１０のデータフォルダについての表示は、使用率を「０〜９」「１０〜１９」「２０〜２９」「３０〜３９」「４０〜４９」「５０〜５９」「６０〜６９」「７０〜７９」「８０〜８９」「９０〜９９」「１００」の１１段階に分けて、１１段階を表す画像アイコンと共に、使用率の具体的な数値を合わせて表示してもよい。
【００３３】
メニューアイコン表示では、ステータス情報を必ず表示するようにしたが、制限設定やシークレット設定がされているメニューについては、アイコンのタイトル表示およびステータス情報を表示しないようにして、ユーザ以外の人に見られないようにしてもよい。また、ユーザがステータス情報の表示の是非を設定できるようにしてもよい。  
また、メニューアイコンに登録できるメニューは、図２に示したメニューに限らず、例えば、よく電話をかける相手の名前をアイコン登録してもよい。そして、そのアイコンをカーソルで選択した状態で確定キーを押すことにより、電話帳を参照して、いきなりその相手に電話発信できるようにしてもよい。また、アイコン登録した相手に該当する電話帳の参照元を削除する場合には、アイコン登録してある旨のコメントを出すようにしてもよい。そして削除した場合には、メニューアイコンの当該登録部分の表示を削除するようにしてもよい。
【００３４】
このように実施例１のメニューアイコン表示によれば、カーソル選択されていないアイコンについては、情報量の少ない最小ステータス情報を表示することにより、表示スペースも小さくてすむために、携帯端末の小さな表示部９であっても、すべてのアイコンのステータス情報を同時に表示することができる。そして、カーソル選択したアイコンについては、さらに詳細なステータス情報を表示することができる。これにより、ユーザは、メニューアイコン表示にするだけで、それ以上の操作なしで全メニューの最低限のステータスを同時に知ることができ、ユーザ操作が簡易化できる。また、意図しなくても全メニューのステータス情報を同時に知らされる状況になり、ユーザは予定などの見落としをなくすことができる。また、ユーザは、ステータス情報の詳細を更に知りたい時には、そのアイコンにカーソルを合わせるだけの簡単な操作で詳細を知ることができる。
【実施例２】
【００３５】
図８、図９は実施例２を示す。なお、実施例２において、実施例１と異なる部分は待ち受け画面の表示に関する部分であり（図４のステップＳ３）、その他の部分は同様であるため、その説明を省略する。  
図８は、携帯端末の待ち受け画面での時間帯に関連した文字表示を説明する図である。ユーザは壁紙９６を選択して待ち受け中になると、表示部９には、壁紙９６、画面中央にワード９７、画面下部にワード９８が表示される。壁紙９６はハッチングで示しているが実際は様々な静止画像や動画像が適用される。  
図９は、時間帯に関連した文字テーブル図であり、文字テーブル１３に予め記憶される。ワード１３ａは画面中央に表示する文字、ワード１３ｂは画面下部に表示する文字であり、これらの文字の出現条件が１３ｃに記憶されている。図１も用いて、制御部の動作を説明する。  
制御部７は、待ち受け中は、指定された壁紙画像を壁紙記憶部１２から読み取って表示部９に表示する。この時、制御部７は、時計部４の時刻を読み取って現在時刻をチェックし、出現条件１３ｃに該当するワードを選出する。例えば、現在時刻が７：３０であれば、それに該当する文字テーブル１３のＮｏ．４の「ＳＵＮＳＨＩＮＥ」と「Ｈａｐｐｙ  Ｈａｐｐｙ  Ｈａｐｐｙ！」を読み出して、表示部９に壁紙と共に表示する。また、現在時刻に関係なく、出現条件１３ｃのランダムに該当するＮｏ．４、Ｎｏ．７、Ｎｏ．１１〜１４のいずれかをランダムに選んで、そのワードを適当な周期で、表示部９に壁紙と共に表示する。
【００３６】
このように、待ち受け中に、現在時刻に合った文字やランダムに選ばれた文字が表示されるため、ユーザはその画面を無意識に見て、楽しむことができる。
【実施例３】
【００３７】
以下に本発明における実施例３の説明を行う。なお、実施例３において、実施例１と異なる部分は待ち受け画面の表示に関する部分であり（図４のステップＳ２）、その他の部分は同様であるため、その説明を省略する。  
図１０は、携帯端末の待ち受け画面での動画壁紙による電界表示と電池残量表示を説明する図である。ユーザが待ち受け画面としてボックスとバー表示の画面を選択すると、表示部９には、ボックスとバーの動画像が表示される。ボックス９９（１点鎖線）、ボックス１００（点線）、ボックス１０１（実線）はワイヤーフレームのボックス表示である。説明をわかりやすくするため、それぞれを１点鎖線、点線、実線で表現しているが、実際の表示はこれである必要はない。これらのボックス画像は、動画像であり、任意に回転している。ボックス画像は、静止画であってもよい。バー１０２、１０２、１０３は静止画であるが動画であってもよい。図１も用いて、制御部の動作を説明する。  
まず、電界表示について説明する。制御部７は、通信部２から電波の受信レベルを読み取って、受信レベルの大きさによってピクト表示部の電界表示９１の３本バーの表示本数を変える。また、制御部７は、受信レベルの大きさによって、壁紙記憶部１２から読み取るボックス画像９７、９８、９９を選択する。例えば、受信レベルが大きい時、ボックス９９、９８、９９画像すべてを読み取って表示部９に表示する。受信レベルが小さい時、小さいボックス画像９９のみを読み取って表示部９に表示する。受信レベルが圏外となった時、小さいボックス画像９９のみを読み取り、更に表示明度を薄くし点滅制御を行って表示する。
【００３８】
次に、電池残量表示について説明する。制御部７は、電池部３の電圧を測定して電池残量を計算し、電池残量によってピクト表示部の電池残量表示９２の３本バーの表示本数を変える。また、制御部７は、電池残量によって、壁紙記憶部１２から読み取るバー１０２、１０２、１０３画像を選択する。例えば、電池残量が多い時、バー１０２、１０２、１０３画像すべてを読み取って表示部９に表示する。電池残量が少ない時、バー１０４画像のみを読み取って表示部９に表示する。更に電池残量がなくなった時、バー１０４画像のみを読み取り、更に表示明度を薄くして表示する。また、電池充電中を表すように、バー１０２、１０２、１０３の表示を変えてもよい。  
なお、壁紙画像としては、ボックス画像とバー画像に限らず、他の壁紙画像であってもよい。
【００３９】
このように、待ち受け中に、従来の小さなピクト表示での電界表示や電池残量表示のみではなく、大きな壁紙も使用して電界表示や電池残量表示を行うことにより、ユーザはその画面を無意識に見て、楽しんだり、又は電界表示や電池残量表示の見落としをなくすことができる。
【図面の簡単な説明】
【００４０】
【図１】本発明の実施例１に係る携帯端末のブロック図。
【図２】本発明の実施例１に係る携帯端末のステータス記憶部のステータス情報を説明する図。
【図３】本発明の実施例１に係る携帯端末の正面図。
【図４】本発明の実施例１に係る携帯端末のメニューアイコン画面を制御する制御部の動作フローチャート。
【図５】本発明の実施例１に係る携帯端末の待ち受け画面の時計分割表示を説明する図。
【図６】本発明の実施例１に係る携帯端末のメニューアイコン画面を説明する図。
【図７】本発明の実施例１に係る携帯端末のメニューアイコンの１つについて詳細画面の1例を説明する図。
【図８】本発明の実施例２に係る携帯端末の待ち受け画面での時間帯に関連した文字表示を説明する図。
【図９】本発明の実施例２に係る携帯端末の時間帯に関連した文字テーブル図。
【図１０】本発明の実施例３に係る携帯端末の待ち受け画面での動画壁紙による電界表示と電池残量表示を説明する図。
【符号の説明】
【００４１】
１  アンテナ
２  通信部
３  電池部
４  時計部
５  マイク
６  キー入力部
７  制御部
８  スピーカ
９  表示部
１０  アイコン記憶部
１１  ステータス記憶部
１２  壁紙記憶部
１３  文字テーブル
２１  上筐体
２２  下筐体
６１  カーソルキー
６２  確定キー
６３  数字文字キー
６４  クリアキー
６５  終話キー
６６  通話キー
９１  電界表示
９２  電池残量
９３  現在時刻
９４  秒針
９５  時間帯
９６  壁紙
９７〜９８  ワード
９９〜１０１  ボックス
１０２〜１０４  バー
９０１〜９１２  アイコン
【図１】
2006113637.tif 000003
【図２】
2006113637.tif 000004
【図３】
2006113637.tif 000005
【図４】
2006113637.tif 000006
【図５】
2006113637.tif 000007
【図６】
2006113637.tif 000008
【図７】
2006113637.tif 000009
【図８】
2006113637.tif 000010
【図９】
2006113637.tif 000011
【図１０】
2006113637.tif 000012
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
キー入力部と、
表示部と、
複数のメニューの最小ステータス情報と、該最小ステータス情報と同等又は最小ステータス情報より詳しい詳細ステータス情報と、複数のメニューに対応するそれぞれのメニューの内容を表したアイコンとを記憶する記憶部と、
前記キー入力部によって選択された第１のメニューアイコンに対応するメニューアイコンと詳細ステータス情報を前記記憶部から読み出し、
前記第１のメニューとは異なる第２のメニューアイコンに対応するメニューアイコンと最小ステータス情報を前記記憶部から読み出して、前記表示部に表示する制御部とを
具備することを特徴とする携帯端末。
【請求項２】
前記制御部は、第１のメニューアイコンを前記第２のメニューアイコンの表示内容が略読める範囲で拡大表示するように表示制御することを特徴とする請求項１に記載の携帯端末。
【請求項３】
前記制御部は、更に表示するメニューに制限設定またはシークレット設定がされているか否かを判断し、当該設定がされているメニューアイコンについては前記表示する第１のメニューアイコンまたは第２のメニューアイコンに代えて、第１のメニューまたは第２のメニューアイコンより情報量の少ないメニューアイコンを表示するように表示制御することを特徴とする請求項１または請求項２に記載の携帯端末。
【請求項４】
前記制御部は、前記第１のメニューアイコンと前記第２のメニューアイコンとの表示制御において、
前記メニューの前記最小ステータス情報または前記詳細ステータス情報を前記記憶部より読み出し、
前記第１のメニューアイコンまたは前記第２のメニューアイコンの表示を前記読み出した結果に基づき更新するように表示制御することを特徴とする請求項１乃至請求項３のいずれか１項に記載の携帯端末。
【手続補正３】
【補正対象書類名】明細書
【補正対象項目名】０００１
【補正方法】変更
【補正の内容】
【０００１】
本発明は、各種メニューをアイコン表示する携帯端末にあって、特に、各種メニューのステータス情報を表示する携帯端末に関する。
【手続補正４】
【補正対象書類名】明細書
【補正対象項目名】０００７
【補正方法】変更
【補正の内容】
【０００７】
また、従来例３の携帯電話機にあっては、待ち受け時に各種壁紙の表示を行っているが、更なる壁紙表示の工夫が求められる。
本発明は、上記の問題点を解決するためになされたもので、メニュー画面さえ開けば、携帯端末の小さな表示画面に複数のアイコンと各々のアイコンの最低限のステータス情報を同時に表示できると共に、更に、所望のアイコンにカーソルを合わせるだけで当該アイコンの詳細なステータス情報を表示することができる携帯端末を提供することを目的とする。
【手続補正５】
【補正対象書類名】明細書
【補正対象項目名】０００８
【補正方法】変更
【補正の内容】
【０００８】
上記目的を達成するために、本発明の携帯端末は、キー入力部と、表示部と、複数のメニューの最小ステータス情報と、該最小ステータス情報と同等又は最小ステータス情報より詳しい詳細ステータス情報と、複数のメニューに対応するそれぞれのメニューの内容を表したアイコンとを記憶する記憶部と、前記キー入力部によって選択された第１のメニューアイコンに対応するメニューアイコンと詳細ステータス情報を前記記憶部から読み出し、前記第１のメニューとは異なる第２のメニューアイコンに対応するメニューアイコンと最小ステータス情報を前記記憶部から読み出して、前記表示部に表示する制御部とを具備することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１４
【補正方法】変更
【補正の内容】
【００１４】
アイコン記憶部１０は、表示部９に表示される携帯端末の各種メニューのアイコン画像の記憶手段である。ステータス記憶部１１は、これらの各種メニューに関連したステータス情報の記憶手段であり、図２の説明で後述する。壁紙記憶部１２は、携帯端末が待ち受けモードの時などに表示部９に表示される壁紙画像の記憶手段であり、静止画と動画を記憶する。文字テーブル１３は、携帯端末が待ち受けモードの時などに表示部９に表示される文字情報の記憶手段である。
【手続補正８】
【補正対象書類名】明細書
【補正対象項目名】００３７
【補正方法】変更
【補正の内容】
【００３７】
以下に本発明における実施例３の説明を行う。なお、実施例３において、実施例１と異なる部分は待ち受け画面の表示に関する部分であり（図４のステップＳ２）、その他の部分は同様であるため、その説明を省略する。
図１０は、携帯端末の待ち受け画面での動画壁紙による電界表示と電池残量表示を説明する図である。ユーザが待ち受け画面としてボックスとバー表示の画面を選択すると、表示部９には、ボックスとバーの動画像が表示される。ボックス９９（１点鎖線）、ボックス１００（点線）、ボックス１０１（実線）はワイヤーフレームのボックス表示である。説明をわかりやすくするため、それぞれを１点鎖線、点線、実線で表現しているが、実際の表示はこれである必要はない。これらのボックス画像は、動画像であり、任意に回転している。ボックス画像は、静止画であってもよい。バー１０２、１０２、１０３は静止画であるが動画であってもよい。図１も用いて、制御部の動作を説明する。
まず、電界表示について説明する。制御部７は、通信部２から電波の受信レベルを読み取って、受信レベルの大きさによってピクト表示部の電界表示９１の３本バーの表示本数を変える。また、制御部７は、受信レベルの大きさによって、壁紙記憶部１２から読み取るボックス画像９９、１００、１０１を選択する。例えば、受信レベルが大きい時、ボックス９９、１００、１０１画像すべてを読み取って表示部９に表示する。受信レベルが小さい時、小さいボックス画像１０１のみを読み取って表示部９に表示する。受信レベルが圏外となった時、小さいボックス画像１０１のみを読み取り、更に表示明度を薄くし点滅制御を行って表示する。
【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
基地局を通じて無線通信を行う携帯端末において、
少なくともカーソルキー、確定キー、及びクリアキーからなるキー入力部と、
表示部と、
複数のメニューの第１のステータス情報と、該第１のステータス情報より詳細な第２のステータス情報と、複数のメニューに対応するそれぞれのメニューの内容を表したアイコンとを記憶する記憶部と、
キー入力部によって所定の操作がなされると、前記複数のメニューのうちの第１のメニューに対応するメニューアイコンと第２のステータス情報を前記記憶部から読み出して表示し、かつ前記複数のメニューのうちの前記第１のメニューとは異なる第２のメニューに対応するメニューアイコンと第１のステータス情報を前記記憶部から読み出して表示し、前記第１のメニューに関しては選択状態、第２のメニューに関しては非選択状態で前記表示部に表示する第１制御部と、
前記第１のメニューが選択状態、かつ前記第２のメニューが非選択状態でカーソルキーが操作されると、第１のメニューを非選択状態にして第１のメニューに対応するメニューアイコンと第１のステータスとを表示し、かつ第２のメニューを選択状態にして第２のメニューに対応するメニューアイコンと第２のステータスとを表示し、
前記第１のメニューが選択状態、かつ前記第２のメニューが非選択状態で確定キーが操作されると、第１のメニューを実行する第２制御部と
を具備することを特徴とする携帯端末。
【請求項２】
基地局を通じて無線通信を行う携帯端末において、
少なくともカーソルキー、確定キー、及びクリアキーからなるキー入力部と、
表示部と、
複数のメニューの第１のステータス情報と、該第１のステータス情報より詳細な第２のステータス情報と、複数のメニューに対応するそれぞれのメニューの内容を表したアイコンとを記憶する記憶部と、
キー入力部によって所定の操作がなされると、前記複数のメニューのうちの第１のメニューに対応するメニューアイコンと第２のステータス情報を前記記憶部から読み出して表示し、かつ前記複数のメニューのうちの前記第１のメニューとは異なる第２のメニューに対応するメニューアイコンと第１のステータス情報を前記記憶部から読み出して表示し、前記第１のメニューに関しては選択状態、第２のメニューに関しては非選択状態で前記表示部に表示する第１制御部と、
前記第１のメニューが選択状態、かつ前記第２のメニューが非選択状態でカーソルキーが操作されると、第１のメニューを非選択状態にして第１のメニューに対応するメニューアイコンと第１のステータスとを表示し、かつ第２のメニューを選択状態にして第２のメニューに対応するメニューアイコンと第２のステータスとを表示し、
前記第１のメニューが選択状態、かつ前記第２のメニューが非選択状態で確定キーが操作されると、第１のメニューを実行し、
前記第１のメニューが選択状態、かつ前記第２のメニューが非選択状態でクリアキーが操作されると、待ち受け画面を表示する第２制御部と
を具備することを特徴とする携帯端末。
【請求項３】
基地局を通じて無線通信を行う携帯端末において、
少なくともカーソルキー、確定キー、及びクリアキーからなるキー入力部と、
表示部と、
複数のメニューの第１のステータス情報と、該第１のステータス情報より詳細な第２のステータス情報と、複数のメニューに対応するそれぞれのメニューの内容を表したアイコンとを記憶する記憶部と、
キー入力部によって所定の操作がなされると、電波の受信レベルを表示するとともに、前記複数のメニューのうちの第１のメニューに対応するメニューアイコンと第２のステータス情報を前記記憶部から読み出して表示し、かつ前記複数のメニューのうちの前記第１のメニューとは異なる第２のメニューに対応するメニューアイコンと第１のステータス情報を前記記憶部から読み出して表示し、前記第１のメニューに関しては選択状態、第２のメニューに関しては非選択状態で前記表示部に表示する第１制御部と、
前記第１のメニューが選択状態、かつ前記第２のメニューが非選択状態でカーソルキーが操作されると、第１のメニューを非選択状態にして第１のメニューに対応するメニューアイコンと第１のステータスとを表示し、かつ第２のメニューを選択状態にして第２のメニューに対応するメニューアイコンと第２のステータスとを表示し、
前記第１のメニューが選択状態、かつ前記第２のメニューが非選択状態で確定キーが操作されると、第１のメニューを実行し、
前記第１のメニューが選択状態、かつ前記第２のメニューが非選択状態でクリアキーが操作されると、待ち受け画面を表示する第２制御部と
を具備することを特徴とする携帯端末。
【手続補正２】
【補正対象書類名】明細書
【補正対象項目名】０００８
【補正方法】変更
【補正の内容】
【０００８】
上記目的を達成するために、本発明の携帯端末は、基地局を通じて無線通信を行う携帯端末において、少なくともカーソルキー、確定キー、及びクリアキーからなるキー入力部と、表示部と、複数のメニューの第１のステータス情報と、該第１のステータス情報より詳細な第２のステータス情報と、複数のメニューに対応するそれぞれのメニューの内容を表したアイコンとを記憶する記憶部と、キー入力部によって所定の操作がなされると、前記複数のメニューのうちの第１のメニューに対応するメニューアイコンと第２のステータス情報を前記記憶部から読み出して表示し、かつ前記複数のメニューのうちの前記第１のメニューとは異なる第２のメニューに対応するメニューアイコンと第１のステータス情報を前記記憶部から読み出して表示し、前記第１のメニューに関しては選択状態、第２のメニューに関しては非選択状態で前記表示部に表示する第１制御部と、前記第１のメニューが選択状態、かつ前記第２のメニューが非選択状態でカーソルキーが操作されると、第１のメニューを非選択状態にして第１のメニューに対応するメニューアイコンと第１のステータスとを表示し、かつ第２のメニューを選択状態にして第２のメニューに対応するメニューアイコンと第２のステータスとを表示し、  前記第１のメニューが選択状態、かつ前記第２のメニューが非選択状態で確定キーが操作されると、第１のメニューを実行する第２制御部とを具備することを特徴とする
【手続補正３】
【補正対象書類名】明細書
【補正対象項目名】００１０
【補正方法】変更
【補正の内容】
【００１０】
本発明によれば、メニュー画面さえ開けば、携帯端末の小さな表示画面に複数のアイコンとアイコンの最低限のステータス情報を同時に表示できると共に、更に、所望のアイコンについては、当該アイコンの詳細なステータス情報を表示することができる。従って、ユーザは、メニュー画面を開いただけでメニューの最低限のステータス情報を知ることができるため、行動の遅れや忘れを防止することができ、ユーザの安心感を増やすことができる。